(57)【要約】【課題】  ヘッドセット型の吐出口部材を用いることのない、使用者の口元付近への高濃度酸素の吐出供給を、構成の複雑化等を伴うことなく実現可能とした。【解決手段】  換気ファン１２の作動により空気の通過、流動されるダクト１４と、このダクト内に収容された、所定複数枚の酸素富化膜モジュール１６ａを重ねてなる酸素富化膜ユニット１６と、酸素富化膜ユニットを介して生成された高濃度酸素を、その吸引によりダクト外に送出する真空ポンプ１８と、真空ポンプによる高濃度酸素の送出路先端に設けられた、高濃度酸素を吐出するための吐出口部材２０と、を具備してなり、ペルチェ効果の発生されるペルチェ素子ユニット５０が、ダクト内にその発熱部５０ａを配置することにより設けられるとともに、このペルチェ素子ユニットの吸熱部５０ｂが、真空ポンプからの送出路となる送出管３０中に介在されている。【選択図】          図１
2006204662.tif 000002
【特許請求の範囲】
【請求項１】
換気ファンの作動により空気の通過、流動されるダクトと；このダクト内に収容された、所定複数枚の酸素富化膜モジュールを重ねてなる酸素富化膜ユニットと；酸素富化膜ユニットを介して生成された高濃度酸素を、その吸引によりダクト外に送出する真空ポンプと；真空ポンプによる高濃度酸素の送出路先端に設けられた、高濃度酸素を吐出するための吐出口部材と；を具備してなるシート用酸素供給器であり、
ペルチェ効果の発生されるペルチェ素子ユニットが、上記ダクト内にその発熱部を配置することにより設けられるとともに、このペルチェ素子ユニットの吸熱部が、上記真空ポンプの出力側の上記送出路中に介在されたことを特徴とするシート用酸素供給器。
【請求項２】
前記吐出口部材が、シートベルト、使用者の襟元および胸元の少なくともいずれかに係着可能なクリップを有して形成された請求項１記載のシート用酸素供給器。
【請求項３】
透光性素材からなる水抜き用カプセルが、前記送出路を形成する送出管に対し、その着脱を可能に設けられるとともに、所定の照光部材により発生された照射光を、この水抜き用カプセルに照射可能とした請求項１または２記載のシート用酸素供給器。
【請求項４】
前記照光部材がＬＥＤである請求項３記載のシート用酸素供給器。
【発明の詳細な説明】
【技術分野】
【０００１】
本発明は、外気を取り込んで高濃度酸素を生成し吐出する、車両用シート等への内蔵に適したシート用酸素供給器に関する。
【背景技術】
【０００２】
長時間の運転時等における眠気や疲労の軽減等、いわゆるリフレッシュを目的として、高濃度酸素をドライバー等の乗員に供給可能とする車載用の酸素供給器が、たとえば特開２００４−２９９６４７号公報に開示されている。
【０００３】
この公報にも開示のように、この種の酸素供給器は、外気（空気）を取り込んで高濃度酸素を生成する酸素富化膜ユニットと、この酸素富化膜ユニットを介して生成された高濃度酸素を送出する真空ポンプと、この真空ポンプにより送出された高濃度酸素をその外部に吐出、供給する吐出口部材との組み合わせとして概略なり、この吐出口部材を使用者の口元に近づけてセットすること等によって、その高濃度酸素の供給を受けることが可能になる。
【０００４】
ところで、この前出の特開２００４−２９９６４７号公報にも開示されている通り、この種の吐出口部材として、通常、頭部に装着する、いわゆるヘッドセット型のものが利用される。しかしながら、この種のヘッドセット型の吐出口部材をドライバーが走行開始当初から装着しているのでは煩わしく、また、ドライバーが走行途中にこのヘッドセット型の吐出口部材を装着するにあたっては、自動車を一旦停止した後に行わなければならないため、その使用開始時期を逸することも起こり得る。
【０００５】
ここで、前出の特開２００４−２９９６４７号公報においては、ヘッドセット型以外の吐出口部材の形態として、シートバックの上端面等やインパネ等に設けたものも例示されている。しかしながら、このような形態であると、吐出口部材から吐出、供給された高濃度酸素が、空気中に拡散されるため、効率的な酸素吸入をドライバー等の使用者が容易に得られないということが起こり得る。
【０００６】
また、吐出口部材を使用者の口元から離して設置するためには、使用者の口元までの距離を考慮したそれ相応の吐出量が要求される。しかしながら、従来の一般的な酸素富化膜ユニットによる高濃度酸素の生成量には限度があるため、高濃度酸素の増大化は容易でない。
【特許文献１】特開２００４−２９９６４７号公報
【発明の開示】
【発明が解決しようとする課題】
【０００７】
解決しようとする問題点は、ヘッドセット型の吐出口部材においては装着の煩わしさが避けられず、また、従来の構成においては高濃度酸素の十分な吐出供給量が容易に確保できないという点である。
【課題を解決するための手段】
【０００８】
本発明の請求項１に係るシート用酸素供給器は、ペルチェ効果の発生されるペルチェ素子ユニットを、酸素富化膜ユニットの収容されたダクト内に、その発熱部を配置することにより設けるとともに、このペルチェ素子ユニットの吸熱部を、真空ポンプの出力側の送出路中に介在したことを、その最も主要な特徴としている。
【０００９】
また、この発明の請求項２は、吐出口部材を、シートベルト、使用者の襟元および胸元の少なくともいずれかに係着可能なクリップを有してなるものとしたことを、その最も主要な特徴としている。
【００１０】
さらに、この発明の請求項３は、透光性素材からなる水抜き用カプセルを、送出路を形成する送出管に対し、その着脱を可能に設けるとともに、所定の照射光を発する照光部材により、この水抜き用カプセルを照射可能としたことを、その最も主要な特徴としている。
【００１１】
そして、この発明の請求項４は、照光部材をＬＥＤとして具体化したことを、その最も主要な特徴としている。
【発明の効果】
【００１２】
本発明の請求項１に示すシート用酸素供給器によれば、ペルチェ素子ユニットの発熱部をダクト内に配することで、このダクト内の空気の昇温による高濃度酸素の流量の増加が得られることから、吐出口部材からの高濃度酸素の吐出供給量の増大化が十分に可能になるという利点がある。
【００１３】
また、ペルチェ素子ユニットの吸熱部による高濃度酸素の冷却も得られることから、使用者に快適な高濃度酸素が構成の複雑化を伴うことなく得られるという利点も、この請求項１によれば得られる。
【００１４】
そして、請求項２によれば、クリップでの係着によって、シートベルト、使用者の襟元および胸元の少なくともいずれかに、吐出口部材を装着することが可能となるため、ヘッドセットを用いることなく、使用者の口元に近い部分に吐出口部材が容易に装着できるという利点がある。
【００１５】
また、請求項３によれば、所定の照光部材により発生された照射光を、透光性素材からなる水抜き用カプセルに照射するため、水の貯留量が外部から容易に認識でき、よって、そのメンテナンスが容易に可能になるという利点がある。
【００１６】
さらに、請求項４によれば、消費電力の少ないＬＥＤを照光部材としていることから、水抜き用カプセルに対する適切な照光が、いわゆる省エネのもとで容易に可能になるという利点がある。
【発明を実施するための最良の形態】
【００１７】
ヘッドセット型の吐出口部材を用いることのない、使用者の口元付近への高濃度酸素の吐出供給を、構成の複雑化等を伴うことなく実現可能とした。
【実施例】
【００１８】
図１は、本発明のシート用酸素供給器１０の概略の構造図を兼ねた空気回路図であり、図示のように、この発明のシート用酸素供給器は、換気ファン１２の作動により空気の通過流動されるダクト１４と、このダクト内に収容された、高濃度酸素を生成可能とする酸素富化膜ユニット１６と、酸素富化膜ユニットを介してダクト内の空気を吸引するとともに、この酸素富化膜ユニットにより生成された高濃度酸素を、送出路を介してダクト外に送出する真空ポンプ１８と、送出路先端に取り付けられた、高濃度酸素をその外部に吐出供給するための吐出口部材２０と、を具備している。
【００１９】
ダクト１４は、空気を取り込む吸気口２２と、その空気の不要分、たとえば酸素富化膜への透過の拒否された窒素等を排出する排気口２４とを、その開口としてそれぞれ有して形成され、空気中に混在する粉塵等からの酸素富化膜の保護をはかるべく、たとえば、吸気口および排気口の双方に集塵フィルタ２６が配されている。そして、吸気口２２からの空気の取り込みをはかり、かつその空気の流動方向を排気口２４方向に規定する換気ファン１２が、たとえばこのダクト１４の排気口近傍に設けられている。
【００２０】
なお、この換気ファン１２としては、一般的な送風ファンが利用できる。また、詳細は後述するが、この実施例においては、この換気ファン１２が２機並置されている。
【００２１】
ダクト１４内に収容される酸素富化膜ユニット１６は、酸素富化膜モジュール１６ａを所定複数枚、たとえば４枚程度有隙積層することにより形成される。この酸素富化膜モジュール１６ａは、中空フレームの表面に、酸素の透過しやすい酸素富化膜を貼付することにより形成され、ダクト１４内の空気を真空ポンプ１８の吸引力のもとでその内部に吸引することにより、空気中の酸素を、この酸素富化膜に強制透過させるよう構成されている。
【００２２】
換気ファン１２での吸引により吸気口２２からダクト１４内に取り込まれた空気は、この酸素富化膜ユニット１６により、酸素富化膜を透過した酸素と、その透過の拒否された窒素等の他成分とに選択的に分離され、この酸素富化膜での透過の拒否された窒素等の他成分は、換気ファンの気流に乗って、ダクトの排気口２４からそのまま外部に排出（排気）される。
【００２３】
真空ポンプ１８の吸引力のもとで酸素富化膜ユニットの酸素富化膜モジュール１６ａ内に透過された酸素は、高濃度酸素としてその配管（供給管）２８を経て真空ポンプ１８に吸い込まれる。そして、この高濃度酸素は、真空ポンプ１８での送り出しにより、送出路となるその配管（送出管）３０を経て吐出口部材２０から外部に吐出供給される。
【００２４】
なお、この真空ポンプ１８としては、一般的なドライ式ダイヤフラム型真空ポンプが利用できる。
【００２５】
ここで、図１を見るとわかるように、このシート用酸素供給器１０は、ダクト１４を有する本体３２と、真空ポンプ１８と、吐出口部材２０とに概略的に分割規定される。そして、図２を見るとわかるように、たとえば、本体３２をシートバック３４に内蔵し、また真空ポンプ１８をシートクッション３６に内蔵するとともに、シートバックの側面等に配した接続口３８を介して吐出口部材２０を送出管（送出路）３０に接続することによって、このシート用酸素供給器１０はシート４０に搭載される。
【００２６】
図２を見るとわかるように、この吐出口部材２０は、接続口３８に着脱可能に連結、挿着される連結端４１をその一端末に有した、可撓性のスパイラルチューブ４２と、吐出口を形成するマウス部４４と、このマウス部を所定箇所、たとえば使用者の服の襟元、胸元、あるいはシート４０に対応するシートベルトに係着可能とするクリップ４６との組み合わせとして形成され、このスパイラルチューブの連結端をシートバック側面等の接続口３８に挿着することにより、この吐出口部材の、マウス部からの高濃度酸素の吐出が可能となる。
【００２７】
この吐出口部材のマウス部４４をクリップ４６によりシートベルト４８に係着した例を、図３に示す。
【００２８】
なお、このシート用酸素供給器１０においては、スパイラルチューブの連結端４１を挿着したときのみ、送出管３０からその外部への高濃度酸素の流動を保障するように、接続口３８は形成されている。
【００２９】
ここで、この発明のシート用酸素供給器の吐出口部材２０は、従来のような頭部に装着するヘッドセット型のものとは異なり、図３に示すような、クリップ４６によるシートベルト４８等への係着使用が前提となる。このような場合、この吐出口部材のマウス部４４は、ヘッドセット型のものより使用者の口元付近から離れるため、このクリップ式の吐出口部材２０においては、高濃度酸素の吐出量がそれ相応に要求される。
【００３０】
そこで、図１に示すように、この発明においては、ペルチェ効果の発生されるペルチェ素子ユニット５０が、ダクト１４内にその発熱部５０ａを配置することにより設けられるとともに、このペルチェ素子ユニットの吸熱部５０ｂが、真空ポンプ１８の出力側の送出路３０中に介在されている。
【００３１】
このペルチェ素子ユニット５０の原理およびその詳細は一般的に知られたものであるため、ここでの説明は省略するが、このペルチェ素子ユニットは、異種の２金属からなる発熱部５０ａおよび吸熱部５０ｂを接合することによりなるペルチェ素子を主体として概略形成されている。
【００３２】
このうちの吸熱部５０ｂは、送出管３０と共に高濃度酸素の送出路の一部として規定され、その内部流路５０ｃを経て、高濃度酸素は送出管（送出路）中を流動される。
【００３３】
酸素富化膜ユニット１６における高濃度酸素の流量、つまり高濃度酸素の生成量は、その周辺温度に依存されることがわかっている。そして、その流量は、温度上昇に比例して高くなることから、ペルチェ素子ユニットの発熱部５０ａの発熱によりダクト１４内の温度を上昇させることによって、酸素富化膜ユニット１６により生成される高濃度酸素の量を増やすことが容易に可能となる。
【００３４】
また、ペルチェ素子ユニットの発熱部５０ａをダクト１４内に配することで、ダクト内での空気の流動により、この発熱部の過熱も防止されることから、ダクト内の温度上昇と同時に、この発熱部の過熱防止効果も容易に確保可能となる。
【００３５】
さらに、ダクト１４内の温度上昇により、酸素富化膜ユニット１６により生成された高濃度酸素の温度も上昇される。しかし、真空ポンプ１８を経て送り出された高濃度酸素は、送出管３０によりなる送出路中に介在されたペルチェ素子ユニットの吸熱部５０ｂを通過されるため、この吸熱部での吸熱のもとで、この高濃度酸素の冷却が行われる。
【００３６】
このように、この発明においては、ダクト１４内を温度上昇させる昇温部材、および温度上昇した高濃度酸素の冷却部材として、双方の機能を併せ持つペルチェ素子ユニット５０を利用するため、その構成の簡素化が十分に可能となる。
【００３７】
そして、このペルチェ素子ユニットの発熱部５０ａによるダクト１４内の昇温により、酸素富化膜ユニット１６による高濃度酸素の生成量が増加できるため、図１に示すように、２機の換気ファン１２を並列配置することによって、ダクト内への空気の取り込み量を増加させるとともに、図２に示すように、たとえば酸素富化膜ユニットを２ユニット並置とすることによって、ダクト内への空気の取り込み量の増加に酸素富化膜ユニットを対応させることが可能となる。
【００３８】
ところで、この種の酸素供給器に使用される酸素富化膜は、水蒸気透過性能を持つため、送出路内に水蒸気の流通を規制する箇所を設ける必要がある。そこで、図１に示すように、この種の酸素供給器においては、通常、水抜き用カプセル５２を高濃度酸素の送出管３０によりなる送出路中に着脱可能に設けることが行われる。
【００３９】
図２を見るとわかるように、この水抜き用カプセル５２は、たとえばシートバック３４の側面等に露出して設けられた目視可能な凹部５４に着脱可能に設けられ、その取り外しにより、内部に貯留された水の排出を可能に構成されている。
【００４０】
ここで、この発明においては、この水抜き用カプセル５２として、透光性を持つ素材、たとえば透明あるいは半透明のプラスチック素材等からなるものを具体化するとともに、この水抜き用カプセルを、照射光を発する照光部材５６により照射するものとしている（図１、図２参照）。
【００４１】
この照光部材５６として、たとえばＢｌｕｅ−ＬＥＤ等のＬＥＤ（発光ダイオード）が例示できる。
【００４２】
このように、Ｂｌｕｅ−ＬＥＤ（照光部材）５６の光を水抜き用カプセル５２に照射することによって、この水抜き用カプセルの持つ透光性のもとで、水の貯留量が容易に認識できるため、そのメンテナンスが容易に可能になるという効果が得られる。
【００４３】
また、Ｂｌｕｅ−ＬＥＤ５６の光により水抜き用カプセル５２が露光されるため、このＢｌｕｅ−ＬＥＤからの光はイルミネーションとしても機能する。
【００４４】
さらに、このシート用酸素供給器１０は、図１に示すように、送風乾燥用の送風切換電磁弁５８を有している。
【００４５】
この送風切換電磁弁５８は、たとえば本体３２内に配設され、真空ポンプ１８による吸引力を、酸素富化膜ユニット１６を介さずにダクト１４内に作用させるように、このダクトに設けられた取出口６０と酸素富化膜ユニットからの供給管（配管）２８との間に、たとえば分岐配管６２を介して接続されている。
【００４６】
なお、このダクトの取出口６０にも、集塵用フィルタ６４が配設される。
【００４７】
この送風切換電磁弁５８は、通常、閉鎖状態にあり、この送風切換電磁弁の閉鎖状態において、真空ポンプ１８の吸引力のもとでの酸素富化膜ユニット１６による高濃度酸素の生成が可能となる。そして、この送風切換電磁弁５８の解放により、ダクト１４内の空気は、真空ポンプ１８の吸引力のもとで酸素富化膜ユニット１６を介さずに真空ポンプ、送出管３０、水抜き用カプセル５２、スパイラルチューブ４２、マウス部４４へと流動するため、この空気による、これら部材内の送風通気乾燥が可能となる。
【００４８】
このように、このシート用酸素供給器１０においては、使用後に必要なアフタケアを自動的に行うものとしている。
【００４９】
このような構成のシート用酸素供給器１０の電気回路ブロック図を、図４に示す。この電気回路ブロック図を見るとわかるように、このシート用酸素供給器１０は、高濃度酸素の供給時間を規定するタイマＴ１回路６５と、その後の送風乾燥時間を規定するタイマＴ２回路６６とを有し、この各タイマ回路による換気ファン駆動回路６７、真空ポンプ駆動回路６８、ペルチェ素子ユニット駆動回路７０、Ｂｌｕｅ−ＬＥＤ駆動回路７２および送風切換電磁弁駆動回路７４の電気的制御のもとで、それに対応する換気ファン１２、真空ポンプ１８、ペルチェ素子ユニット５０、Ｂｌｕｅ−ＬＥＤ５６および送風切換電磁弁５８をそれぞれ作動制御するものとして構成されている。
【００５０】
また、このシート用酸素供給器１０には起動用の操作スイッチ７６が設けられる。そして、図示のように、この実施例においては、２個の操作スイッチ７６−１，７６−２が、その操作を検出するスイッチ検出回路７８に対して並列に接続されている。
【００５１】
この２個の操作スイッチ７６−１，７６−２は、たとえば、シート４０の左右サイドにそれぞれ配される（図２参照）。
【００５２】
なお、この図２には操作スイッチ７６−２の記載はないが、この操作スイッチ７６−２は、操作スイッチ７６−１と反対側の左右サイドのシートバック側面、あるいはシートクッション側面等に設けられる。
【００５３】
以下、図５に示すフローチャートに沿って、このシート用酸素供給器１０の動作を説明する。
【００５４】
まず、操作スイッチ７６−１，７６−２のいずれかの操作によりスイッチ検出回路７８がその操作を検出すると（２０２）、次に、タイマＴ１回路６５のＯＮ動作のもとで高濃度酸素供給時間の計測が開始されるとともに（２０４）、続いて換気ファン駆動回路６６、および真空ポンプ駆動回路６８の同期したＯＮ動作のもとで、換気ファン１２および真空ポンプ１８がそれぞれ起動（ＯＮ）される（２０６）（図４および図１参照）。
【００５５】
次に、サーモスイッチ８０が作動したか否かが判断される（２０８）（図４参照）。
【００５６】
このサーモスイッチ８０は、真空ポンプ１８の過熱状況を検出可能に設けられたものであり、図４に示すように、真空ポンプ駆動回路６８に対し電気的に接続されている。
【００５７】
真空ポンプ１８の正常作動時であれば、このサーモスイッチ８０はＯＦＦ状態を維持し、そのＯＦＦ状態においては、図５のステップ（２０８）でＮｏと判断されるため、次にペルチェ素子ユニット駆動回路７０のＯＮ動作のもとで、ペルチェ素子ユニット５０が起動（ＯＮ）されるとともに（２１０）、Ｂｌｕｅ−ＬＥＤ駆動回路７２のＯＮ動作のもとで、Ｂｌｕｅ−ＬＥＤ５６が点灯（ＯＮ）される（２１２）（図４および図１参照）。
【００５８】
図５に示すように、次に、スイッチ操作等により電源がＯＦＦとなったか、あるいはタイマＴ１回路６５での計測時間が予め設定された時間に到達したか否か、つまりタイムアップとなった否かが判断され（２１４）、スイッチ操作等による電源ＯＦＦ、タイマＴ１回路のタイムアップのいずれかが検出されるまで、ここではＮｏと判断されて、ステップ（２０６）からの動作が繰り返し実行される。
【００５９】
この、ステップ（２０２）からステップ（２１４）までの動作が、シート用酸素供給器１０における高濃度酸素の生成工程となり、吐出口部材のマウス部４４からの高濃度酸素の吐出供給が行われる（図１、図３参照）。
【００６０】
そして、スイッチ操作等により電源がＯＦＦとされるか、あるいはタイマＴ１回路６５がそのタイムアップを認識すると、図５のステップ（２１４）でのＹｅｓとの判断のもとで、まず、ペルチェ素子ユニット駆動回路７０のＯＦＦ動作により、ペルチェ素子ユニット５０が停止（ＯＦＦ）されるとともに（２１６）、タイマＴ２回路６６のＯＮ動作により、送風乾燥時間の計測が開始される（２１８）（図４参照）。
【００６１】
このタイマＴ２回路６６のＯＮ動作に伴って、送風切換電磁弁５８が、その送風切換電磁弁駆動回路７４のＯＮ動作により開放（ＯＮ）されると（２２０）、次に、タイマＴ２回路での計測時間が予め設定された時間に到達したか否かが判断され（２２２）、タイマＴ２回路のタイムアップが検出されるまで、ここではＮｏと判断されて、ステップ（２２０）での動作が継続実行される（図４および図１参照）。
【００６２】
図１を見るとわかるように、この送風切換電磁弁５８が開放されると、ダクト１４内の空気が、酸素富化膜ユニット１６を介することなく、真空ポンプ１８の吸引力のもとでダクトの取出口６０から分岐配管６１、真空ポンプを経て送出管３０に送り出される。つまり、これによって、真空ポンプ１８、送出管３０、水抜き用カプセル５２および吐出口部材２０に対する送風乾燥が行われる。
【００６３】
そして、タイマＴ２回路６６がそのタイムアップを認識すると、図５のステップ（２２２）でのＹｅｓとの判断のもとで、まず、ペルチェ素子ユニット駆動回路７０のＯＦＦ動作により、ペルチェ素子ユニット５０が停止（ＯＦＦ）される（２２４）。続いて、換気ファン駆動回路６６、および真空ポンプ駆動回路６８の同期したＯＦＦ動作のもとで、換気ファン１２および真空ポンプ１８がそれぞれ停止（ＯＦＦ）されるとともに（２２６）、送風切換電磁弁駆動回路７４のＯＦＦ動作のもとでの送風切換電磁弁５８の閉鎖（ＯＦＦ）（２２８）、およびＢｌｕｅ−ＬＥＤ駆動回路７２のＯＦＦ動作によるＢｌｕｅ−ＬＥＤ５６の消灯（ＯＦＦ）（２３０）が順次行われて、このシート用酸素供給器１０の、高濃度酸素生成工程から送風乾燥工程までの一連の動作が終了する（図４および図１参照）。
【００６４】
また、シート用酸素供給器１０の作動中、たとえば、真空ポンプ１８の過熱等により、そのサーモスイッチ８０がＯＮ動作され、図４に示す、このサーモスイッチの接続された過熱検出回路８２がこのサーモスイッチのＯＮ動作を検出すると、図５のステップ（２０８）でのＹｅｓとの判断のもとで、ステップ（２２４）〜ステップ（２３０）により、ペルチェ素子ユニット５０の停止（ＯＦＦ）、換気ファン１２、真空ポンプ１８の同期停止（ＯＦＦ）、送風切換電磁弁５８の閉鎖（ＯＦＦ）、およびＢｌｕｅ−ＬＥＤ５６の消灯（ＯＦＦ）が順次行われて、高濃度酸素生成工程、あるいは送風乾燥工程が強制的に中止される（図４および図１参照）。
【００６５】
上記のように、この発明のシート用酸素供給器１０は、ペルチェ素子ユニットの発熱部５０ａにより、ダクト１４内の空気を昇温させており、この空気の昇温により高濃度酸素の流量の増加が望めるため、ダクト内への空気の取り込み量を増加させることによって、吐出口部材２０からの高濃度酸素の吐出供給量の増加が十分に可能となる。
【００６６】
つまり、この発明によれば、吐出口部材２０からの高濃度酸素の吐出供給量の増加が得られるため、使用者の口元から若干離れた場所からの吐出供給であっても、高濃度酸素を使用者の口元に適切に供給することが可能となる。
【００６７】
つまり、ヘッドセット型の吐出口部材を用いることなく、使用者の口元への高濃度酸素の提供が容易に可能となることから、使用者に煩わしさを感じさせることのない吐出口部材の装着が可能となり、よって、車両走行前等に事前に装着しておくことで、使用開始時期を逸することのない使用が十分に可能となる。
【００６８】
また、この発明においては、ペルチェ素子ユニットの発熱部５０ａにより昇温された高濃度酸素を、同じペルチェ素子ユニットの持つ吸熱部５０ｂにおいて冷却しているため、使用者に快適な低温の高濃度酸素を吐出供給することが容易に可能となる。このように、冷却された高濃度酸素であれば、新鮮な酸素との印象を使用者に強く与えることができ、また体感的にも、使用者が気分を一新するのに効果的であることから、高濃度酸素を冷却することで、より快適な使用感を得ることが十分に可能となる。
【００６９】
さらに、ダクト１４内の空気の昇温、および生成された高濃度酸素の冷却に、単一のペルチェ素子ユニット５０を利用しているにすぎないため、その構成の簡素化も十分に可能となる。
【００７０】
ここで、この実施例においては、吐出口部材２０として、クリップ４６をマウス部４４に有した、いわゆるクリップ式のものを例示しているが、このマウス部を使用者の口元近傍位置等に配置、係着できればよいため、この構成に限定されるものではない。しかし、シートベルト４８や使用者の襟元、胸元等に係着可能なクリップ式とすることで、その装着作業が容易となるため、使用者自らが装着する場合に限らず、隣席等の乗員による補助装着も容易に可能となることから、この点においても、使用開始時期を逸することのない使用が十分に可能となる。
【００７１】
また、運転時等の疲労のもとでは、丸背となる姿勢崩れを生じやすく、この場合の着座者の口元は、シートベルト４８や使用者の襟元、胸元等に装着したマウス部４４に対しより接近されることから、マウス部をクリップ４６によってシートベルトや使用者の襟元、胸元等に装着ことにより、その効果的使用が十分にはかられる。
【００７２】
そして、この実施例においては、水抜き用カプセル５２をＢｌｕｅ−ＬＥＤ５６により照光するものとして具体化しているが、ＬＥＤの色はこれに限定されるものではなく、また、ここではＬＥＤをその照光部材として具体化しているが、水抜き用カプセルを照射可能とすれば足りるため、この照光部材として、他の色のＬＥＤや、またＬＥＤ以外の他の照光手段を、ここでいう照光部材としてもよい。
【００７３】
しかしながら、照光部材５６としてＬＥＤを使用することにより、省電力化、つまり省エネが適切に可能となるため、バッテリーを電源とする自動車等におけるその使い勝手が確実に向上される。
【００７４】
さらに、ＬＥＤであれば、水抜き用カプセル５２に照射された光がイルミネーションとしても機能するため、その付随効果も十分に期待できる。
【００７５】
上述した実施例は、この発明を説明するためのものであり、この発明を何等限定するものでなく、この発明の技術範囲内で変形、改造等の施されたものも全てこの発明に包含されることはいうまでもない。
【産業上の利用可能性】
【００７６】
ここでは、自動車用のシートをシート用酸素供給器の搭載されるシートとして具体化しているが、これに限定されず、飛行機、船舶、列車等の他の乗り物用シートや、建物内で使用されるリラックスシート等も、その搭載の対象となり得ることはいうまでもない。
【図面の簡単な説明】
【００７７】
【図１】この発明に係るシート用酸素供給器の概略の構造図を兼ねた空気回路図である。
【図２】このシート用酸素供給器のシートへの搭載例を示す、その概略斜視図である。
【図３】このシート用酸素供給器の使用例である。
【図４】このシート用酸素供給器の電気回路ブロック図である。
【図５】このシート用酸素供給器でのフローチャートである。
【符号の説明】
【００７８】
１０  シート用酸素供給器
１２  換気ファン
１４  ダクト
１６  酸素富化膜ユニット
１８  真空ポンプ
２０  吐出口部材
５０  ペルチェ素子ユニット
５２  水抜き用カプセル
５６  照光部材（Ｂｌｕｅ−ＬＥＤ）
【図１】
2006204662.tif 000003
【図２】
2006204662.tif 000004
【図３】
2006204662.tif 000005
【図４】
2006204662.tif 000006
【図５】
2006204662.tif 000007